(57)【特許請求の範囲】
【請求項１】
放送内容を記録する放送内容記録部と、
放送内容に関する情報を取得する放送内容情報取得部と、
ユーザが放送中の内容に関する情報の記録を指令する記録指令部と、
該記録指令部の指令を受けて記録時の位置情報を取得する位置情報取得部と、前記記録指令部の指令を受けて前記放送内容記録部、前記放送内容情報取得部および前記位置情報取得部により記録された各情報を編集して編集記録内容を得る記録内容編集部と、
該記録内容編集部で得た編集記録内容を所定の配信先へ送信する配信制御部とを備えたことを特徴とする放送内容配信装置。
【請求項２】
前記配信制御部は、
前記編集記録内容の中から配信する編集記録内容を決定するとともにその送信タイミングを設定する配信モード設定部と、
前記送信する編集記録内容の配信先を設定する配信先設定部と、
前記編集記録内容を前記配信モード設定部の設定した送信タイミングに従って前記配信先設定部で設定した配信先へ送信する情報配信部とを備えたことを特徴とする請求項１に記載の放送内容配信装置。
【請求項３】
前記配信モード設定部は、ドライブ行程が一旦終了したときに前記編集記録内容の中から配信する編集記録内容を選択可能としたことを特徴としたことを特徴とする請求項２に記載の放送内容配信装置。
【請求項４】
前記放送内容記録部は、記録指令時前後の所定時間にわたる放送内容を記録するようにしたことを特徴とする請求項１、２または３に記載の放送内容配信装置。
【請求項５】
前記位置情報取得部がナビゲーション装置を備え、
前記位置情報が前記ナビゲーション装置により取得した自車両の位置情報および経路情報の少なくとも一方を含むことを特徴とする請求項１、２、３または４に記載の放送内容配信装置。
【請求項６】
前記位置情報取得部がナビゲーション装置を備え、
前記位置情報が前記ナビゲーション装置により取得した自車位置周辺のランドマーク情報を含むことを特徴する請求項１から５のいずれかに記載の放送内容配信装置。
【請求項７】
前記位置情報取得部がナビゲーション装置を備え、
前記記録内容編集部は、前記ナビゲーション装置から得た位置情報を利用して生成した記録指令時のドライブ行程情報を前記編集記録内容に付加するようにしたことを特徴とする請求項１から６のいずれかに記載の放送内容配信装置。
【請求項８】
前記記録内容編集部は、記録指令時に関係した所定時間にわたり録音した乗員の話声を前記編集記録内容に付加するようにしたことを特徴とする請求項１から７のいずれかに記載の放送内容配信装置。
【請求項９】
前記記録内容編集部は、記録指令時の自車位置周辺の風景画像を前記編集記録内容に付加するようにしたことを特徴とする請求項１から８のいずれかに記載の放送内容配信装置。
【請求項１０】
前記記録内容編集部は、前記放送内容情報に関連したサイトを検索し、この検索結果を前記編集記録内容に付加するようにしたことを特徴とする請求項１から９のいずれかに記載の放送内容配信装置。
【請求項１１】
前記配信先設定部は、記録指令を送信した機器を識別し、該機器を配信先に設定するようにしたことを特徴とする請求項２から１０のいずれかに記載の放送内容配信装置。
【発明の詳細な説明】
【０００１】
【発明の属する技術分野】
本発明は、音楽やニュースなどの放送内容やこの放送内容に付加された放送情報内容をドライブ中に簡単に記録して、後でこの記録を参照できるようにした放送内容配信装置に関する。
【０００２】
【従来の技術】
ユーザが好きな音楽を購入するための参考情報として、所定期間における曲の購入件数に基づき集計したアーティストのランキング情報をユーザへ配信するシステムが、たとえば、特開２０００−２９３５８８号公報の記載などにより知られている。
【０００３】
【発明が解決しようとする課題】
上記従来の技術によれば、好きな音楽を購入するための参考情報をユーザが容易に入手できるものの、ドライブ中にラジオなどの放送メディアから流れている、気に入った曲や記録しておきたいニュースに関する情報を記録して後で参照したいと思っても、手軽に記録する手段がなかった。
本発明は、放送中の気に入った曲や記録したいニュースなどの情報をドライブ中であっても手軽に記録できるようにして、後でこれらの情報を利用できるようにした放送内容配信装置を提供することを目的とする。
【０００４】
【課題を解決するための手段】
このため、請求項１の発明は、放送内容を記録する放送内容記録部と、放送内容に関する情報を取得する放送内容情報取得部と、ユーザが放送中の内容に関する情報の記録を指令する記録指令部と、該記録指令部の指令を受けて記録時の位置情報を取得する位置情報取得部と、記録指令部の指令を受けて放送内容記録部、放送内容情報取得部および位置情報取得部により記録された各情報を編集して編集記録内容を得る記録内容編集部と、該記録内容編集部で得た編集記録内容を所定の配信先へ送信する配信制御部とを備えたものとした。
【０００５】
請求項２の発明は、配信制御部が、編集記録内容の中から配信する編集記録内容を決定するとともにその送信タイミングを設定する配信モード設定部と、送信する編集記録内容の配信先を設定する配信先設定部と、編集記録内容を配信モード設定部の設定した送信タイミングに従って配信先設定部で設定した配信先へ送信する情報配信部とを備えるものである。
【０００６】
請求項３の発明は、配信モード設定部が、ドライブ行程が一旦終了したときに編集記録内容の中から配信する編集記録内容を選択可能としたものとした。
【０００７】
請求項４の発明は、放送内容記録部が、記録指令時前後の所定時間にわたる放送内容を記録するものとした。、
【０００８】
請求項５の発明は、位置情報取得部がナビゲーション装置を備え、位置情報がナビゲーション装置により取得した自車両の位置情報および経路情報の少なくとも一方を含むものとした。
請求項６の発明は、位置情報がナビゲーション装置により取得した自車位置周辺のランドマーク情報を含むものとした。
【０００９】
請求項７の発明は、記録内容編集部が、ナビゲーション装置から得た位置情報を利用して生成した記録指令時のドライブ行程情報を編集記録内容に付加するものとした。
請求項８の発明は、記録内容編集部が、記録指令時に関係した所定時間にわたり録音した乗員の話声を編集記録内容に付加するものとした。
請求項９の発明は、記録内容編集部が、記録指令時の自車位置周辺の風景画像を編集記録内容に付加するものとした。
さらに、請求項１０の発明は、記録内容編集部が、放送内容情報に関連したサイトを検索し、この検索結果を編集記録内容に付加するものとした。
【００１０】
請求項１１の発明は、配信先設定部が、記録指令を送信した機器を識別し、該機器を配信先に設定するものとした。
【００１１】
【発明の効果】
請求項１の発明は、ドライブ中、気になる曲やニュース等があったとき記録指令部を操作して記録指令を発すると、記録内容編集部で、放送内容記録部に記録した放送内容、放送内容情報取得部で取得した放送内容に関する情報、および位置情報取得部で取得した記録時における自車両の位置や経路などの位置情報を編集した編集記録内容を、所定の配信先へ送信するようにしたので、ドライブ中の気になる音楽やニュースなどがある場合には、スイッチを押すなど記録指令部の簡単な操作だけで、その放送内容や放送内容に関する情報を手軽に保存することができる。そして、後でその情報を参照してその曲が入ったＣＤ（コンパクトディスク）を購入することなどが可能となる。
【００１２】
この結果、ドライブ中は運転に専念することが可能となり、気になる放送情報を記録し損なうことを避けることができる。
また、編集記録内容には、記録時の自車両の位置や経路などといった位置情報が付加されているので、これらの情報を手がかりとして後で記録した状況や意図、あるいは記録内容などを容易に思い出すことができる。
【００１３】
請求項２の発明は、配信制御部が配信モード設定部で編集記録内容のうちから配信する編集記録内容やその配信タイミングを決定し、配信先設定部でその配信する編集記録内容の配信先を設定し、その編集記録内容を情報配信部が上記発信先へ送信するようにしたので、記録した編集記録内容のうち、本当に欲しい情報のみを選択して、適当なタイミングで希望の配信先、たとえば自宅のパーソナルコンピュータや携帯端末などへ送信しそこで容易に参照できる。
【００１４】
請求項３の発明は、ドライブが一旦終了したときに放送の記録内容から配信したいものを選択することができるようにしたので、ドライブ中気になった音楽やニュースなどがあったときは、とりあえず記録指令部を操作して記録しておくことで運転に専念し、一旦ドライブが終了したときに本当に必要な情報かどうか、どの情報をどこへ配信するかなどをチェックして配信することができるようになる結果、不要な情報の配信を排除することが可能となる。
【００１５】
請求項４の発明は、放送内容記録部が記録指令時前後の所定時間にわたって放送内容を記録するようにしたので、音楽やニュースを聞き始めてからこれは記録したいと思い記録指令部を操作するまでのロス時間分の放送内容を含めて記録し、後で参照することができる。
【００１６】
請求項５の発明は、編集記録内容に付加する位置情報として、ナビゲーション装置から取得した自車の緯度、経度などの位置情報および経路情報（○○街道など）の少なくとも一方を含むものとしたので、編集記録内容からの配信内容選択時や配信後の配信内容利用時に、位置情報・経路情報を参照していかなる状況や意図等で記録したのか、またどんな記録内容だったかなどを容易に思い出すことができる。
【００１７】
請求項６の発明は、編集記録内容に付加する位置情報として、ナビゲーション装置から取得した記録指令時における自車位置周辺のランドマーク情報を含むものとしたので、配信内容選択時や配信後の配信内容利用時に、ランドマーク情報を参照して記録した状況や意図、あるいは記録内容等を容易に思い出すことができる。
【００１８】
請求項７の発明は、記録内容編集部が、ナビゲーション装置から得た位置情報を利用して生成した記録指令時のドライブ行程情報を編集記録内容に付加するものとしたので、配信内容選択時や配信後の配信内容利用時に、ドライブ行程情報を参照して記録した状況や意図、あるいは記録内容等を容易に思い出すことができる。
【００１９】
請求項８の発明は、記録内容編集部で記録指令時における車内の会話内容やドライバによる記録指令に関した注釈の声などを編集記録内容に付加するようにしたので、配信内容選択時や配信後の配信内容利用時に、その音声情報を参照して記録した状況や意図、あるいは記録内容等を容易に思い出すことができる。
【００２０】
請求項９の発明は、記録内容編集部で記録指令時の自車位置周囲の風景画像を編集記録内容に付加するようにしたので、配信内容選択時や配信後の配信内容利用時に、付加した周囲の風景画像を参照することで記録したときの状況や意図、あるいは記録内容等を容易に思い出すことができる。
【００２１】
請求項１０の発明は、記録内容編集部で放送内容情報をもとにこれに関連したサイトを検索し、この検索結果を編集記録内容に付加するので、後でサイトを参照でき、より詳細な情報等へのアプローチが容易になる。
【００２２】
請求項１１の発明は、発信先設定部が記録指令を発信した機器のアドレスを自動的に検出して、この記録指令を発信した機器へ発信内容を送信するようにしたので、記録指令が携帯端末等である場合にはそのまま車外に持ち出し、配信した編集記録内容を利用することが可能となる。また、その都度、配信先設定部で配信先を設定する手間を省くことができる。
【００２３】
【発明の実施の形態】
以下、本発明の実施の形態を実施例により説明する。
図１は、第１の実施例の放送内容配信装置のハードウエア構成を示す。
ここでは、ナビゲーション装置１２を含む位置情報取得部４、オーディオユニット１３、通信ユニット１４、及び記録内容表示部としてのディスプレイ１５が一体化されて、車載情報端末１１として構成されている。
オーディオユニット１３は放送内容記録部１と放送内容情報取得部２を含む。通信ユニット１４は、記録内容編集部５、配信モード設定部７、配信先設定部８、及び情報配信部９を備える。そして、とくに接続線は示さないが、ディスプレイ１５はナビゲーション装置１２用の表示装置としても用いられる。
【００２４】
車載情報端末１１には、記録指令部３としてステアリングホイール１６上に設けたステアリングスイッチ１７が接続され、また、同じく記録指令部３として携帯端末１８が通信で接続可能とされて、これらいずれからでもドライバによるボタン押圧操作で、記録内容編集部５へ記録指令を発することができるようになっている。
車載情報端末１１はその情報配信部９から、記録内容編集部５で編集して得た編集記録内容を、携帯端末１８や自宅のパーソナルコンピュータ１９へ配信する。
【００２５】
図２は、上記の機能要素の接続関係を含む装置全体の機能ブロック図である。放送内容記録部１は、放送内容（音楽やニュース等）を録音または録画する。放送内容情報取得部２は、放送内容に付加されたテキストデータなどにより放送中の番組名や曲名などの情報を取得する。
【００２６】
記録指令部３は、ドライバが放送内容等を記録したいときに操作することにより、その記録を編集内容記録部５に指示するものである。
位置情報取得部４は、記録時における自車位置や走行経路等の位置情報を取得する。
記録内容編集部５は、記録指令部３からの記録指令を受けて、放送内容記録部１からの放送内容、放送内容情報取得部２からの放送内容に関する情報、位置情報取得部４からの記録時の位置情報をもとに、これらの記録内容を編集して編集記録内容を生成する。
【００２７】
配信制御部６が、配信モード設定部７と、配信先設定部８と、情報配信部９から構成される。
配信モード設定部７は、編集記録内容を配信するタイミングを設定するものである。
配信先設定部８は、配信先のメールアドレス等を設定するものである。
情報配信部９は、配信先設定部８で設定した宛先へ、配信モード設定部７で設定したタイミングで編集記録内容を配信する。
ディスプレイ１５は、編集記録内容を表示する。なお、ディスプレイ１５は配信モード設定部７や配信先設定部８のためのインタフェース機能を有するが、結線は図示省略している。
【００２８】
つぎに、上記放送内容配信装置における情報について説明する。
放送メディアの一例としての「見えるラジオ」がある。その放送データ２０は、図３に示すように、放送内容（音声データ）２１に、例えば放送中の曲名などの放送内容情報（テキストデータ）２２が付加されて構成されている。
ここで、ドライバが放送中の曲が気に入った場合に、例えばステアリングスイッチ１７を一押しして記録指令部３から記録指令が発せられると、記録内容編集部５が、放送内容記録部１、放送内容情報取得部２、位置情報取得部４からの各情報を編集して編集記録内容２６を生成する。
【００２９】
編集記録内容２６は、予め決められた電子メールの形式に編集される。
すなわち、放送内容情報取得部２で取得した図３に示すような放送内容情報２２（ここでは、曲名、アーティスト名、アルバム名）と、位置情報取得部４で得た日時情報２３及び自車両の位置情報２４がそれぞれテキスト形式のデータとして編集される。そして、放送内容記録部１にて記録した放送内容２１（ここでは音声データ）がＷＡＶＥ形式のファイル２５にされて上記テキスト形式のデータへ添付されることで、編集記録内容２６となる。編集記録内容２６は車載情報端末１１の図示しない内部メモリに記憶される。
【００３０】
上記放送内容については、ドライバによる記録指令の有無に関わらず、放送内容記録部１が図４の（ａ）に示すように常に現在から過去の所定時間Ｔｂまで遡った放送内容を放送内容記録部１に記録するようにしてある。この記録方法の詳細については、後で説明する。
そして、ドライバが記録指令部３を操作すると、図４の（ｂ）に示すように、記録指令時以前の所定時間Ｔｂ分の放送内容記録に加えて、記録指令時から所定時間Ｔａ経過するまでの放送内容を記録して、記録指令前後の放送内容記録をＷＡＶＥ形式ファイル２５として保存する。
【００３１】
このようにして記録内容編集部５で編集された編集記録内容２６は、車載情報端末１１のディスプレイ１５に表示される。また、編集記録内容２６は、配信モード設定部７で決定された配信タイミング、及び配信先設定部８で設定された配信先へ情報配信部９により配信される。
【００３２】
上記制御の詳細について、図５のフローチャートに基づき説明する。
ステップ１１１では、放送内容記録部１が、受信した放送内容２１を記録する。
この記録方法としては、放送内容記録部１が、イグニションキー・オン時から放送内容２１の記録を開始し、順次、所定の経過時間Ｔｂ（例えば２０秒）を越えたデータを消去しながら現在受信中の新しいデータを追加していくＦＩＬＯ方式を用いる。これにより図４の（ａ）に示すように常時、現在から過去の所定時間Ｔｂまで遡った分の放送内容２１を上記メモリに記録することを実現する。
【００３３】
ステップ１１２では、記録内容編集部５が、ドライバによるステアリングスイッチ１７あるいは携帯端末１８のいずれか一方の記録指令部３が操作されたか（記録指令が発せられたか）否かを判断する。
記録指令が出された場合にはステップ１１３に進み、そうでない場合はステップ１１１に戻る。
【００３４】
ステップ１１３では、記録内容編集部５が、放送内容情報取得部２で得た図３に示すような、放送内容２１に付加されている放送中の曲名などの放送内容情報２２を、車載情報端末１１の内部メモリに記録する。
ステップ１１４では、位置情報取得部４がナビゲーション装置１２の地図データから自車位置のエリア名を読み出し、位置情報２４として、車載情報端末１１の内部メモリに記憶する。
【００３５】
この記録フォーマットとしては、例えば図３に示すように市、区、町といった行政区分を用いて「○○市付近」（ここでは「場所：横須賀市付近」）などといった内容が挙げられる。
なお、この位置情報と併せて、記録時の日時をナビゲーション装置１２から読み出し、日時情報２３として上記メモリに記憶する。
【００３６】
ステップ１１５では、記録内容編集部５が、図４（ｂ）に示すように、放送内容記録部１で記録指令時以前（記録指令前の所定時間Ｔｂ分）から記録指令時まで記録した放送内容２１の記録に加えて、記録指令時から所定時間Ｔａ（例えば３０秒）経過するまでの放送内容２１を追加記録して、記録指令前後の放送内容記録とする。
【００３７】
ステップ１１６では、ステップ１１３で取得した放送内容情報２２、ステップ１１４で記録した記録時の日時情報２３及び位置情報２４を、例えば図３に示したフォーマットでテキスト形式のデータに編集する。そしてステップ１１５で記録した放送内容２１を例えば音声であればＷＡＶＥ形式などの容量が小さなファイル２５にして上記テキスト形式のデータ２２〜２４に添付して編集記録内容２６を構成する。記録内容編集部５は、上記の放送内容情報２２、日時情報２３及び位置情報２４をディスプレイ１５へ送り、表示させる。
【００３８】
ステップ１１７では、上記編集記録内容２６を配信する。
すなわち、情報配信部９が、ステップ１１６で編集した編集記録内容を、配信モード設定部７で設定したタイミングで、配信先設定部８で予め設定したメールアドレスヘ送信する。
送信のタイミングとしては、例えば記録指令時から所定時間Ｔａ経過して記録指令前後の放送内容を記録記録内容編集部５から取得したあと一定時間後に設定することができ、あるいは、ディスプレイ１５の表示を見てからドライバが車載情報端末１１の操作ボタンなどを押したことを確認した時点等に設定することができる。
【００３９】
なお、この場合の送信先としては、例えば、ステアリングスイッチ１７による記録指令時は、自宅のパーソナルコンピュータ１９などに設定しておくが、個人の携帯端末１８による記録指令時は、配信先設定部８が記録指令受けと同時に携帯端末１８の電話番号などのＩＤをも受信し、そのＩＤを配信先とするように設定しておく。したがって、後者の場合、記録指令を発した携帯端末１８へ編集記録内容２６を配信することになる。
【００４０】
また、この配信にあっては、図６に示すように、イグニションキー・オフ（ＩＧＮ．ｏｆｆ）までの一つのドライブ行程において放送内容の記録指令が複数回あった場合には、記録指令Ｎｏ．１〜Ｎｏ．ｎに対応してその都度、編集記録内容２６１〜２６ｎが予め設定されたメールアドレスへそれぞれ送信されるようになっている。
【００４１】
以上で説明したように、上記第１の実施例にあっては、イグニションキー・オン時は放送内容記録部１が絶えず放送内容を所定時間分記録しつづけているから、ドライブ中にラジオから流れている曲が気に入った場合やニュースを記録したい場合には、記録指令部３のスイッチボタンを一押しする操作だけで、放送内容２１や放送内容情報２２（曲名やアーティスト名など）を含む編集記録内容２６を簡単に記録することが可能となる。この結果、ドライバは運転に専念でき、またドライブ中に放送を記録したいときでも即座に記録することでき、記録し損ないを避けることができる。
【００４２】
また、編集記録内容２６には、記録内容編集部４にて記録時の位置情報２４が付加されているため、後で参照するときに記録した状況や意図、あるいは記録内容などを容易に思い出すことができる。
この結果、あとで携帯端末１８や自宅のパーソナルコンピュータ１９など任意の配信先において、曲名やアーティスト名等の編集記録内容を確認して、ＣＤ（コンパクトディスク）等を購入したり、ニュースを詳細に検討したりするような活用が可能となる。
【００４３】
次に、位置情報取得部４による位置情報取得の変形例について説明する。
図７は、図５に示した制御フローチャートのステップ１１４に対応する位置情報取得のサブルーチンのフローチャートである。
まず、ステップ２１１では、記録内容編集部５が、ナビゲーション装置１２で走行経路が設定されているか否かを判定する。設定されていればステップ２１２へ進み、そうでなければステップ２１４へ進む。
【００４４】
ステップ２１２では、ナビゲーション装置１２で設定された経路の目的地を取得する。
ステップ２１３では、ステップ２１２で取得した目的地が自宅か否かを判定する。目的地が自宅であれば、復路と判定して出発地に関する情報をも取得する。すなわち、例えば出発地が「伊東温泉」であれば「伊東温泉から帰る途中」といったようなドライブ行程情報として記録する。目的地が自宅以外で、例えば「苗場スキー場」であれば、「苗場スキー場へ行く途中」といったようなドライブ行程情報として記録する。
【００４５】
ステップ２１４では、自車位置から所定距離内にある周辺（例えば半径１Ｋｍ以内）のランドマークの有無をチェックし、ランドマーク情報が検索されれば、ステップ２１５へ進み、そうでなければステップ２１６へ進む。
ステップ２１５では、ランドマーク名を取得し、例えばランドマーク名が「八景島」であれば「八景島付近」といったような情報を記録する。
【００４６】
ステップ２１６では、自車位置の道路種別情報をナビゲーション装置１２の地図データから検索し、道路種別が「国道、高速道」であればステップ２１７へ進み、そうでなければステップ２１８へ進む。なお、道路種別が「国道、高速道」以外であっても、「○○街道」といった愛称が着いていればステップ２１７へ進む。
ステップ２１７では、道路名を取得し、例えば道路名が「横浜横須賀道路」であれば「横浜横須賀道路走行時」といったような情報を記録する。
ステップ２１８では、地図データから自車位置のエリア名を取得する。
【００４７】
以上のように、この変形例では、記録指令時の自車位置情報を、経路設定情報を用いて例えば「伊東温泉からの帰り」といったように加工したドライブ行程情報、また自車位置周辺のランドマーク情報や道路種別情報を編集記録内容に加えるものとしたので、後で編集記録内容２６を参照するときに記録した場所が具体的に特定されていることにより、記録した状況や意図、あるいは記録内容等について思い出しやすくする。
【００４８】
次に、図８は第２の変形例を示す。
これは、図２の構成にさらに記録状況取得部４０を追加して記録内容編集部５に接続したものである。
記録状況取得部４０としては、車載カメラ４１あるいはボイスメモ４２を用いる。
その他の構成は第１の実施例と同じである。
【００４９】
まず、車載カメラ４１を用いる場合は、図５の制御フローチャートにおけるステップ１１５の次に、記録内容編集部５が車載カメラ４１で撮影した自車両周辺の画像を取り込むステップを追加し、撮影した画像データをステップ１１６で例えばJＰＥＧ形式などに変換して編集記録内容に付加する。
このように、編集記録内容に記録時の自車両周辺の画像を追加すれば、後で配信する編集記録内容をみる時に、記録時の自車両周辺の画像を手がかりとして記録したときの状況や意図、あるいは記録した内容等を容易に思い出すことが可能となる。
【００５０】
一方、記録状況取得部４０にボイスメモ４２を用いたときは、ボイスメモ４２のマイクを用いてドライバの記録注釈の音声あるいはその時の車内での会話などを、図５の制御フローチャートにおけるステップ１１１やステップ１１５における放送内容記録と同様の手順で常時記録しておき、記録指令時に記録指令前後の上記記録データを取得し、ステップ１１６でＷＡＶＥ形式などに変換して記録内容に付加する。
このように、編集記録内容に記録指令時前後のドライバ等の音声情報を追加すれば、後で配信する編集記録内容をみる時に、ドライバ等の音声情報を手がかりとして記録したときの状況や意図、あるいは記録した内容等を容易に思い出すことが可能となる。
【００５１】
なお、上記実施例、変形例に限ることなく、記録内容編集部５が、関連サイト検索部を有するようにして、エージェント機能を用いて図５におけるステップ１１３で記録した図３の放送内容情報２２に関連するサイトをインターネット上から検索して編集記録内容に加えてもよい。
例えば図３の場合は、曲名とアーティスト名をキーワードとしてインターネット上のホームページの内容を検索し、該当するホームページのアドレスを編集記録内容に付加する。
これにより、ユーザが後で放送内容に関する情報についてさらに詳細な情報や関連する情報を知りたい時、簡単にそれらのアドレスへアプローチすることが可能となる。
【００５２】
次に、第２の実施例について説明する。
本実施例は、その機能ブロック構成は第１の実施例の図２に示したものと同じであるが、編集記録内容の中から配信したいものを選択できるようにしたものである。
図９はこの制御フローチャートの詳細を示す。
ステップ３１１では、放送内容記録部１が放送内容を記録所定時間分、継続的に記録していく。
【００５３】
ステップ３１２では、記録内容編集部５が、ドライブ行程が一旦終了したか否かを判定し、ドライブ行程が一旦終了したと判定したらステップ３１８へ進み、ドライブ行程が終了していないと判断したらステップ３１３へ進む。
このドライブ行程が一旦終了したか否かは、イグニションキーがオフになったか否か、あるいはナビゲーション装置１２で設定した目的地付近に到達した否かで判断する。
【００５４】
ステップ３１３では、記録指令部３による記録指令があったか否かを判断し、記録指令がなければ、ステップ３１１へ戻る。記録指令があれば、ステップ３１４へ進む。
ステップ３１４〜ステップ３１７については、第１の実施例の図５におけるステップ１１３からステップ１１６と同じであり、その説明を省略する。
そして、ステップ３１７において、記録内容編集部５で編集記録内容が生成されたあとは、ステップ３１１へ戻る。
【００５５】
一方、ドライブ行程が一旦終了した場合のステップ３１８では、ディスプレイ１５に、例えば図１０に示すように、画面上部の配信内容選択ウィンドウ３０に記録指令順に番号をつけた記録番号Ｎｏ．１〜Ｎｏ．ｎを表示するとともに、画面の下方側に記録番号Ｎｏ．１〜Ｎｏ．ｎを付けて電子メール可能なフォーマットで編集された編集記録内容２６（２６１〜２６ｎ）を表示する。この編集記録内容２６のディスプレイ１５での表示は、スクロールバー２８を用いて１番目の編集記録内容２６１から最後の編集記録内容２６ｎまでスクロールしてみることができるようにする。
【００５６】
ステップ３１９では、配信モード設定部７において、ドライバが上記ディスプレイ１５に表示された各編集記録内容をみながら選択した、配信内容選択ウィンドウ３０の記録番号に基づいて、配信したい編集記録内容を設定する。なお、番号の選択やスクロールバー２８の操作は車載情報端末１１の操作ボタンや入力キーを通じて行う。
図１０は、記録番号Ｎｏ．１、Ｎｏ．ｎの２つの編集記録内容が選択されてその番号に矩形枠が識別表示され、Ｎｏ．１とＮｏ．ｎの２つの編集記録内容が太い点線で囲まれて表示される状態を示している。これらの編集記録内容２６１、２６ｎが配信内容として抜粋される。
【００５７】
ステップ３２０では、配信する内容が選択されているか否かを情報配信部９が配信モード設定部７の設定を基に判定し、選択されていれば送信要求があったものとしてステップ３２１へ進み、選択されていなければ本制御を終了する。
なお、このステップ３２０にあっては、一定時間送信内容の選択入力がない場合や車載情報端末に備えられた終了ボタンが押された場合に、配信内容が選択されていないと判断し、本制御を終了するようにしてある。
ステップ３２１では、ステップ３１９において選択抜粋された編集記録内容を、ユーザにより予め配信先設定部８に設定されているメールアドレスヘ送信する。
【００５８】
なお、送信されなかった編集記録内容は、一定期間経過した場合や、編集記録内容を記憶する内部メモリの記憶総容量が所定値に達した場合に古い順から、順次消去する。
【００５９】
本実施例は以上のように構成され、図１１に示すように、イグニションをオフにした場合など、ドライブ行程が一旦終了したと推定される時点で、それまで記録指令Ｎｏ．１〜Ｎｏ．ｎごとに記録した編集記録内容をまとめてディスプレイ１５上に表示し、ドライバへ提示する。
これにより、ドライバは、記録した放送内容に関する情報を、運転に気を遣う必要のないドライブ行程終了時に確認して、不要と判断した編集記録内容を除外し、必要な編集記録内容だけを選択して自宅のパーソナルコンピュータ１９などへ送信することができる。
【００６０】
なお、各実施例および変形例において、編集記録内容に付加される位置情報や記録状況として、自車両の位置（緯度、経度）、経路情報、ランドマーク情報、自車両周辺の画像、記録指令時前後の音声情報等、種々の例を挙げたが、これらは一つだけでもあるいはいずれかを任意に組み合わせて採用することができる。
【図面の簡単な説明】
【図１】本発明に係る実施例の放送内容配信装置のハードウエア構成を示す図である。
【図２】第１の実施例の機能ブロック図である。
【図３】放送データと編集記録内容の例を示す説明図である。
【図４】放送内容の記録要領を示す説明図である。
【図５】第１の実施例における制御の流れを示すフローチャートである。
【図６】ドライブ行程中の記録内容配信要領を説明する図である。
【図７】第１の変形例における位置情報取得のフローチャートである。
【図８】第２の変形例を示すブロック図である。
【図９】第２の実施例を示すフローチャートである。
【図１０】配信内容選択ウィンドウと編集記録内容の表示例を示す図である。
【図１１】第２の実施例における記録内容配信要領を説明する図である。
【符号の説明】
１        放送内容記録部
２        放送内容情報取得部
３        記録指令部
４        位置情報取得部
５        記録内容編集部
６        配信制御部
７        配信モード設定部
８        配信先設定部
９        情報配信部
１１      車載情報端末
１２      ナビゲーション装置
１３      オーディオユニット
１４      通信ユニット
１５      ディスプレイ
１６      ステアリングホイール
１７      ステアリングスイッチ
１８      携帯端末
１９      パーソナルコンピュータ
２０      放送データ
２１      放送内容
２２      放送内容情報
２３      日時情報
２４      位置情報
２５      ファイル
２６      編集記録内容
２８      スクロールバー
４０      記録状況取得部
４１      車載カメラ
４２      ボイスメモ
【図１】
0003823776.tif 000002
【図２】
0003823776.tif 000003
【図３】
0003823776.tif 000004
【図４】
0003823776.tif 000005
【図５】
0003823776.tif 000006
【図６】
0003823776.tif 000007
【図７】
0003823776.tif 000008
【図８】
0003823776.tif 000009
【図９】
0003823776.tif 000010
【図１０】
0003823776.tif 000011
【図１１】
0003823776.tif 000012